(57)【要約】マルチメディアデータファイルを端末機器に再生する方法を提案する。この方法では記憶されているマルチメディアデータファイルの管理時に状況によってオーディオデータファイルを再生し、ユーザーがマルチメディアデータファイルを目視せずに管理することを可能にする。マルチメディアデータファイルおよびオーディオデータファイルは有利には無線信号、殊にデジタルラジオ放送信号によって受信される。
2005502236.tif 000002
【特許請求の範囲】
【請求項１】
娯楽および／または情報伝達に用いられるマルチメディアデータファイルを端末機器に再生する方法において、
当該マルチメディアデータファイルを管理するためにオーディオデータファイルを使用し、
前記マルチメディアデータファイルの管理時に当該オーディオデータファイルを所定の状況において再生する、
ことを特徴とする、マルチメディアデータファイルを端末機器に再生する方法。
【請求項２】
前記マルチメディアデータファイルおよび／またはオーディオデータファイルを無線信号によって受信し、局所的に記憶する、請求項１記載の方法。
【請求項３】
前記マルチメディアデータファイルをクラス分けして記憶する、請求項１または２記載の方法。
【請求項４】
前記オーディオデータファイルに優先度を付け、当該優先度に従って記憶および／または消去する、請求項２記載の方法。
【請求項５】
前記オーディオデータファイルの少なくとも一部はユーザーによって作成される、請求項１から４までのいずれか１項記載の方法。
【請求項６】
前記オーディオデータファイルは部分的に広告を有する、請求項２から５までのいずれか１項記載の方法。
【請求項７】
無線信号としてデジタルラジオ放送信号を使用する、請求項２記載の方法。
【請求項８】
請求項１記載の方法を実行する端末機器において、
当該端末機器は、マルチメディアデータファイルおよびオーディオデータファイルを記憶するためのメモリ（４）と、前記マルチメディアデータファイルを管理するための入力装置（８）と、前記マルチメディアデータファイルおよびオーディオデータファイルを再生するためのスピーカー（６）と、前記マルチメディアデータファイルおよびオーディオデータファイルをデコーディングし、前記マルチメディアデータファイルの管理時に前記オーディオデータファイルを状況によって再生するためのプロセッサ（３）を有している、
ことを特徴とする端末機器。
【請求項９】
前記端末機器は無線局（１, ２）を有している、請求項２および８記載の端末機器。
【請求項１０】
前記端末機器はデジタルラジオ放送受信機（１, ２, ３）として構成されている、請求項７および９記載の端末機器。
【発明の詳細な説明】
【技術分野】
【０００１】
従来技術
本発明は、独立請求項の上位概念に記載された、マルチメディアデータファイルを端末機器に再生する方法に関する。
【０００２】
ドイツ連邦共和国公開公報第３８４２４１７Ａ１号から既に、自動車の運転者に情報を伝達するための装置が公知であり、ここでは自動車の運転者に情報を伝達するためのデジタル音声メモリが開示されている。この音声メモリには、カーラジオ、携帯電話、ハンドフリー装置、ＣＤプレーヤー、測位およびナビゲーションシステムおよび／またはアラーム装置等の装置が接続可能である。このデジタル音声メモリは、接続されている機器の情報が記憶される複数のメモリ領域に分けられる。メモリの一部は最適な利用のために可変に構成されており、記憶されるべき情報に依存して拡張可能である。出力は音響的にはカーラジオスピーカーを介して、また視覚的には中央モニター上で行われる。２つの特別なデータ入力装置によって、モニターと接続して、この装置を容易かつ分かり易く制御することができる。
【０００３】
発明の利点
独立請求項に記載された特徴部分の構成を有する、マルチメディアデータファイルを端末機器に再生する本発明の方法は、従来技術に対して以下の利点を有する。すなわちマルチメディアデータファイルの管理時に状況に依存してオーディオデータファイルが再生され、ユーザーに、マルチメディアデータファイル内での目視しない操縦（Navigation）を可能にするという利点である。これは特に自動車内のユーザーに対して有利であり、ユーザーは視覚的に端末機器に集中せずにすむ。これによってユーザーの快適性が向上し、ユーザーは使用されている言語に依存せず、ディスプレイは必ずしも必要ではなくなる。
【０００４】
従属請求項に記載された方法および発展形態によって、マルチメディアデータファイルを端末機器に再生する方法を有利に改善することができる。
【０００５】
さらに有利には、マルチメディアデータおよび／またはオーディオデータは、無線信号によって受信され、その後、局所的に（lokal）端末機器内に記憶される。これによってユーザーにはラジオ放送提供者または無線網運営者から、マルチメディアデータファイルを管理するためのオーディオデータが自動的に供給される。この場合、有利にはラジオ放送提供者またはオーディオデータファイルの作成者は、このオーディオデータに広告を付けることができる。この場合、ユーザー自身がこのようなオーディオデータファイルを作成または調達する必要はない。
【０００６】
さらに有利には、マルチメディアデータは、受信された後にクラス分けされて記憶される。すなわちマルチメディアデータファイルに対して付加的な情報に基づいて、このマルチメディアファイルがどのクラスに属しているかが識別される。これらのクラスは例えば、スポーツ、ニュース、天気または取引市場である。ここでその後、下位のクラス分け（例えば国際ニュース、ローカルニュースまたはサッカーや陸上競技のような種々異なるスポーツの種類）によってより詳細なクラス分けが行われてもよい。ここでこれは自動的に、端末機器のプロセッサによって実行され、識別される。
【０００７】
さらに、オーディオデータファイルおよび／またはマルチメディアデータファイルに優先度を付け、この優先度に従って記憶ないし消去を行うのは有利である。メモリの不足時には、優先度の低いオーディオデータファイルおよび／またはマルチメディアデータファイルが先に消去され、端末機器の作動が維持される。
【０００８】
オーディオデータファイルの少なくとも一部が、ユーザーによって作成されるのも有利である。これは例えば手動入力を介してテキストで、ユーザー自身がテキストを与えることでテキストを入力することによって行われる。その場合にこのテキストは、シンセサイザーによって音声に変えられる、またはマイクが用いられる。付加的にユーザーは、このオーディオファイルが演奏されるべき状況も与えなければならない。簡単なメニューガイドによって、ユーザーはこのような入力、ひいてはこのようなオーディオデータファイルの作成を格段に容易に行うことができる。
【０００９】
特に有利には無線信号として、ＤＡＢ（Digital Audio Broadcasting）、ＤＲＭ（Digital Regio Mondial）またはＤＶＢ（Digital Video Broadcasting）等のデジタルラジオ放送信号が用いられる。このようなデジタルラジオ放送信号によって殊に、マルチメディアデータファイルの伝送が非常に容易になる。なぜなら使用される枠構造を用いてほぼ任意にマルチメディアオブジェクトを伝送することができるからである。
【００１０】
さらに、本発明による方法を実行する端末機器が存在するのは有利である。ここでこの端末機器はマルチメディアデータファイルおよびオーディオデータファイルを記憶するためのメモリと、マルチメディアデータファイルを管理するための入力装置と、マルチメディアデータファイルおよびオーディオデータファイルを再生するためのスピーカーと、マルチメディアデータファイルの管理時に状況によってオーディオデータファイルを再生して、マルチメディアデータファイルおよびオーディオデータファイルをデコーディングするためのプロセッサを有している。ここでこの端末機器は、マルチメディアデータファイルおよびオーディオデータファイルを受信するための無線局を有することもできる、ないしデジタルラジオ放送受信機として構成されてもよい。
【００１１】
図面
本発明の実施例を図示し、以下の明細書でより詳細に説明する。図１は本発明による端末機器のブロック回路図であり、図２は、本発明による方法の第１のフローチャートであり、図３は本発明による方法の第２のフローチャートである。
【００１２】
説明
ＤＡＢ（Digital Audio Broadcasting）は、聴衆者に完成したラジオ番組を提供するラジオ放送伝送方法である。拡張は個人形態である。ここではマルチメディアオブジェクト、有利にはオーディオデータファイルが放送され、局所的にラジオ放送受信機内に記憶され、ユーザーの要望に従ってオフラインで再生される。このようなマルチメディアオブジェクト内の操縦は例えば、ナビゲーション機器およびカーラジオ機器から既知であるような遠隔操作を介して、または操作キーによって直接的に機器で行われる。特定の状況、例えばユーザー入力時に、本発明に相応して予め設定されたオーディオデータファイルが演奏され、これによってユーザーの操作は直接的に音響的にフィードバックされる。
【００１３】
図１にはブロック回路図として、本発明による端末機器が示されている。ここでこの端末機器はラジオ放送受信機として構成されている。択一的にこの端末機器を、無線受信部無く構成することもできる。またはＵＭＴＳ（ユニバーサル移動体通信システム）から公知であるような移動無線機器を設けることも可能である。殊にこの種の移動無線機器は、マルチメディアオブジェクトのモバイル受信用に構成されている。本発明による方法は殊に、この種の移動無線機器に対して適している。
【００１４】
アンテナ１は、高周波受信器２の入力側に接続されている。高周波受信器２の出力側はプロセッサ３の第１のデータ入力側と接続されている。ここでこのプロセッサは、データ入／出力側を介してメモリ４と接続されている。出力側を介してプロセッサ３は、オーディオ増幅器５と接続されている。このオーディオ増幅器はスピーカー６を駆動させる。プロセッサの第２のデータ入力側には、信号処理部７が接続されている。ここでこの信号処理部は入力装置８からの入力信号を処理する。第３のデータ入力側には、信号処理部９が接続されている。この信号処理部はマイク１０からの信号を処理する。データ出力側を介してプロセッサ３は、モニター３１を駆動制御する信号処理部３０と接続されている。モニター３１は、ＬＣＤディスプレイまたはプラズマディスプレイとして、または他の公知の表示技術で構成されている。
【００１５】
択一的に高周波受信器２の代わりに送信／受信ステーションを設ける、または無線受信を完全に放棄し、定常的に存在するデータによってのみ作動されるようにすることもできる。
【００１６】
マルチメディアデータファイルは、アンテナ１および高周波受信器２によってラジオ放送信号として受信、増幅され、中間周波数に変えられ、デジタル化される。プロセッサ３は、受信されたマルチメディアデータファイルを識別し、このマルチメディアデータファイルをクラス分けに相応してメモリ４内に記憶する。メモリ４はハードディスク、チップカードまたは半導体メモリのような再度の書き込みが可能な他のメモリである。このような局所的な記憶はここでは、ディレクトリ構造で行われる。このディレクトリ構造は主平面において、スポーツ、ニュース、天気および取引市場に対する枝（フォルダ：Ordner）を有している。さらなる副枝は、上述したテーマの取り扱いをさらに細かくする。分類ジャンル内での操縦は例えば入力装置８によって行われる。この入力装置はここでは矢印キーとして構成されている。モニター３１はここでユーザーに、目下のクラスに関する視覚的な応答を与える。すなわち例えばニュースまたはローカルニュースを表示する。この場合には、モニター３１は１行のディスプレイとして構成される。ここで他のクラス分けも、相応の設定によってほぼ任意に使用可能である。
【００１７】
枝内の操縦時には、ユーザーに音響的な応答が与えられる。この応答は所定の状況と結び付いている。この種の状況は例えばニュース等の枝の選択である。ユーザーの管理を容易にさせる、相応にこのような枝と結び付いているオーディオデータファイルは、どの枝（例えばニュース）内にいるのか、要素があるか否か、要素がないか否か、新たな要素があるか否か、まだ聞かれていない要素がこの枝内にあるか否か、またはどのくらい多くの要素がこの枝内に記憶されているのかを示す。ここで他の手法も可能である。このような音響的な応答は択一的に、テキストによる出力に対して付加的に行われてもよい。
【００１８】
ディレクトリ構造内でのマルチメディアデータファイルの配置構成時には、これはインデックスｍｐ３−オブジェクトによって、各枝内で行われる。これは自動的に、枝の選択時に再生される。他の方法は、クラス分け自体に従ってオーディオデータファイルに名称（すなわちニュース  ローカル．ｍｐ３）を付け、必要な時にこれを呼び出すことである。このような必要はプロセッサ３によって識別され、入力装置８による手動選択に依存する。このインデックス−オブジェクトはｍｐ３フォーマットで、または他のオーディオ符号化フォーマットで符号化される。すなわち例えばＭＰＥＧ１、２、４（ここでレイヤー１から３）、ＡＣＣまたはＴｅｘｔ−ｔｏ−Ｓｐｅｅｃｈである。
【００１９】
本発明の装置によって、ブラインド操作が可能になる。なぜならオーディオデータファイルによってユーザーにその時々に、どの枝にユーザーがいるのかが示されるからである。これは拡張されて、どのオーディオファイルまたはマルチメディアファイルがここにファイルされているのかがオーディオデータファイル内で示される。すなわち最終的に各オーディオデータファイル内にリストが設けられる。これは、プロセッサ３によって自動的に行われる。
【００２０】
このシステムは、使用されている言語に依存せず、動的に拡張可能である。なぜならオーディオデータファイルの内容は送信施設のみによって作成または送信される、ないしはユーザーによって作成されるからである。一般的な聴覚印象は、これらのテキストが人間の話し手から得られる、すなわち人工的な音声によって作成されるのではないことで改善される。このようなテキストには場合によって、広告メッセージ（例えば「ニュースはボッシュによって提供されています」）が付けられる。これらのオーディオデータファイルに対して優先度を用いることで、メモリ容量が不足している場合に、より低い優先度を有するオーディオデータファイルと離すことができる。全てのデータファイルに、すなわちマルチメディアデータファイルにも優先度が付けられる場合、場合によってはマルチメディアデータファイルを消去することも可能である。
【００２１】
図２は、マルチメディアデータファイルを端末機機器に再生する、本発明による方法のブロック回路図が示されている。ステップ１１では、メモリ４内にマルチメディアデータファイルを記憶する。このマルチメディアデータファイルは無線信号を介して受信されるか、またはメモリを用いてユーザーによって移される。マルチメディアデータファイルはマイクまたはビデオカメラによって作成されてもよい。ステップ１２では、マルチメディアデータファイル内のマークに基づいて、マルチメディアデータファイルのクラス分けが行われる。すなわちマルチメディアデータファイルを個々の枝に割り当てる。
【００２２】
ステップ１３では、個々の枝にオーディオデータファイルを割り当てる。ここでこのオーディオデータファイルは、枝の選択時に状況によって再生され、ユーザーは装置を目視しないで使用することができる。ステップ１４では、ユーザーによってマルチメディアデータファイルの管理が行われる。その後ステップ１５でプロセッサ３によって、所定の枝の選択等の状況が識別される。相応するオーディオデータファイルが存在する場合、ステップ１６でこのオーディオデータファイルが再生されて、ユーザーに自身の操作に関する音響的なフィードバックが与えられる。これによって、ユーザーは目視することなく使用することができる。所定の状況がステップ１５において識別されない場合、オーディオデータファイルは再生されず、マルチメディアデータファイルの管理を続けるためにステップ１４に戻る。
【００２３】
図３には、本発明による方法に対する第２のブロック回路図が示されている。ここではステップ１７において、デジタルラジオ放送信号を用いて明確にマルチメディアデータファイルおよびオーディオデータファイルの受信が実現される。ステップ１８では受信されたこれらのデータファイルが自身のマークに基づいてクラス分けされ、相応に記憶される。ステップ１３では、上述したように、オーディオデータファイルが個々の分類ジャンルに割り当てられる。ステップ１４では、ユーザーはマルチメディアデータファイルの管理を行う。ステップ１５では、状況が識別されたか否かが検査される。状況が識別された場合には、ステップ１６において相応のオーディオデータファイルが演奏され、その後マルチメディアデータファイルの管理に戻る。ステップ１５でこのような状況がマルチメディアデータファイルの管理時に識別されない場合、直接的にステップ１４に戻り、マルチメディアデータファイルの管理が続けられる。
【図面の簡単な説明】
【００２４】
【図１】本発明による端末機器のブロック回路図である。
【００２５】
【図２】本発明による方法の第１のフローチャートである。
【００２６】
【図３】本発明による方法の第２のフローチャートである。
【図２】
2005502236.tif 000003
【図３】
2005502236.tif 000004
【国際公開パンフレット】
2005502236.tif 000005
2005502236.tif 000006
2005502236.tif 000007
2005502236.tif 000008
2005502236.tif 000009
2005502236.tif 000010
2005502236.tif 000011
2005502236.tif 000012
2005502236.tif 000013
2005502236.tif 000014
2005502236.tif 000015
2005502236.tif 000016
2005502236.tif 000017
2005502236.tif 000018
【国際公開パンフレット（コレクトバージョン）】
2005502236.tif 000019
【国際調査報告】
2005502236.tif 000020
2005502236.tif 000021
2005502236.tif 000022
2005502236.tif 000023